(57)【要約】【課題】前面が開口する箱状に形成された合成樹脂製のケース体及びケース体に引出収納自在に配置された合成樹脂製の引出体はそれぞれ一枚の合成樹脂製のシート状材を折り曲げて組み立てられているから、ケース体及び引出体を展開状態や二枚折り状態で運搬、保管、販売することができ、使用時や購入後において、ケース体及び引出体をシート状材を折り曲げて組み立てることができる。【解決手段】前面が開口する箱状に形成された合成樹脂製のケース体２と、ケース体に引出収納自在に配置された合成樹脂製の引出体３とからなり、ケース体及び引出体はそれぞれ一枚の合成樹脂製のシート状材Ｓを折り曲げて組み立てられ、引出体の前面下部に指掛部４がシート状材の折り曲げによって形成され、引出体の前面上部に索引部５がシート状材の折り曲げによって形成されてなる。【選択図】図１
0003129989.tif 000002
【実用新案登録請求の範囲】
【請求項１】
前面が開口する箱状に形成された合成樹脂製のケース体と、該ケース体に引出収納自在に配置された合成樹脂製の引出体とからなり、上記ケース体及び上記引出体はそれぞれ一枚の合成樹脂製のシート状材を折り曲げて組み立てられ、該引出体の前面下部に指掛部が該シート状材の折り曲げによって形成され、該引出体の前面上部に索引部が該シート状材の折り曲げによって形成されてなることを特徴とする組立式整理ケース。
【請求項２】
上記指掛部は上記シート状材の折り曲げによって形成される凹部により形成されていることを特徴とする請求項１記載の組立式整理ケース。
【請求項３】
上記索引部は上記シート状材の折り曲げにより形成される穴部によって形成されていることを特徴とする請求項１又は２記載の組立式整理ケース。
【請求項４】
上記シート状材は二枚のライナー板の間に複数個のリブを一体形成して並列する複数個の中空部が形成された合成樹脂製の中空構造材であることを特徴とする請求項１〜３のいずれか１項に記載の組立式整理ケース。
【考案の詳細な説明】
【技術分野】
【０００１】
本考案は例えば日用品、玩具、小物類を整理する際に用いられる組立式整理ケースに関するものである。
【背景技術】
【０００２】
従来、この種の整理ケースとして、前面が開口した箱状に形成された合成樹脂製のケース体と、ケース体に引出収納自在に配置された合成樹脂製の引出体とからなる構造のものが知られている。
【特許文献１】実用新案登録第３１１０２９７号公報
【考案の開示】
【考案が解決しようとする課題】
【０００３】
しかしながら上記従来構造の場合、上記ケース体及び上記引出体はそれぞれ箱状に一体成形され、大形のものほど、全体が嵩張り、このため、運搬上、保管上において、取り扱いの融通性が低いという不都合を有している。
【課題を解決するための手段】
【０００４】
本考案はこれらの不都合を解決することを目的とするもので、本考案のうちで、請求項１記載の考案は、前面が開口する箱状に形成された合成樹脂製のケース体と、該ケース体に引出収納自在に配置された合成樹脂製の引出体とからなり、上記ケース体及び上記引出体はそれぞれ一枚の合成樹脂製のシート状材を折り曲げて組み立てられ、該引出体の前面下部に指掛部が該シート状材の折り曲げによって形成され、該引出体の前面上部に索引部が該シート状材の折り曲げによって形成されてなることを特徴とする組立式整理ケースにある。
【０００５】
又、請求項２記載の考案は、上記指掛部は上記シート状材の折り曲げによって形成される凹部により形成されていることを特徴とするものであり、又、請求項３記載の考案は、上記索引部は上記シート状材の折り曲げにより形成される穴部によって形成されていることを特徴とするものであり、又、請求項４記載の考案は、上記シート状材は二枚のライナー板の間に複数個のリブを一体形成して並列する複数個の中空部が形成された合成樹脂製の中空構造材であることを特徴とするものである。
【考案の効果】
【０００６】
本考案は上述の如く、請求項１記載の考案にあっては、前面が開口する箱状に形成された合成樹脂製のケース体及びケース体に引出収納自在に配置された合成樹脂製の引出体はそれぞれ一枚の合成樹脂製のシート状材を折り曲げて組み立てられているから、上記ケース体及び引出体を展開状態や二枚折り状態で運搬、保管、販売することができ、そして、使用時や購入後において、上記ケース体及び引出体をシート状材を折り曲げて組み立てることができ、このため、運搬上、保管上、販売上等の不使用時において、嵩張ることがなく、取り扱いの融通性を高めることができ、かつ、上記引出体の前面下部に指掛部がシート状材の折り曲げによって形成されているから、指掛部を容易に形成することができると共に引出体を容易に引き出すことができ、更に、上記引出体の前面上部に索引部がシート状材の折り曲げによって形成されているから、索引部に索引カード等を貼付したり、収納したりすることにより引出体内の収納物を外部より容易に認識することができる。
【０００７】
又、請求項２記載の考案にあっては、上記指掛部は上記シート状材の折り曲げによって形成される凹部により形成されているから、引出体の前面の平坦化を図ることができてデザイン性を高めることができると共に指掛部に確実に指を引きかけることができて引出体の引き出しを容易に行うことができ、又、請求項３記載の考案にあっては、上記索引部は上記シート状材の折り曲げにより形成される穴部によって形成されているから、引出体の前面の平坦化を図ることができてデザイン性を高めることができると共に索引部を容易に形成することができ、又、請求項４記載の考案にあっては、上記シート状材は二枚のライナー板の間に複数個のリブを一体形成して並列する複数個の中空部が形成された合成樹脂製の中空構造材であるから、ケース体及び引出体の軽量化及び耐衝撃性を高めることができる。
【考案を実施するための最良の形態】
【０００８】
図１乃至図１７は本考案の実施の形態例を示し、図１乃至図１５は第一形態例、図１６は第二形態例、図１７は第三形態例である。
【０００９】
図１乃至図１５の本考案の実施の第一形態例において、１は整理ケースであって、前面が開口する箱状に形成された合成樹脂製のケース体２と、ケース体２に引出収納自在に配置された合成樹脂製の引出体３とからなり、このケース体２及び上記引出体３はそれぞれ一枚の合成樹脂製のシート状材Ｓを折り曲げて組み立てられ、引出体３の前面下部に指掛部４をシート状材Ｓの折り曲げによって形成され、かつ、引出体３の前面上部に索引部５をシート状材Ｓの折り曲げによって形成されて構成されている。
【００１０】
この場合、上記指掛部４は上記シート状材Ｓの折り曲げによって形成される凹部Ｒにより形成され、又、上記索引部５は上記シート状材Ｓの折り曲げにより形成される穴部Ｍによって形成され、折曲内板３ａの前面Ｎに図示省略の索引カードを貼付したり、収納部Ｈに図示省略の索引カードを差込収納可能に構成している。
【００１１】
又、この場合、上記シート状材Ｓは二枚のライナー板Ｓ1・Ｓ1の間に複数個のリブＳ2・・を一体形成して並列する複数個の中空部Ｓ3・・が形成された合成樹脂製、この場合、ポリプロピレン樹脂からなる半透明の中空構造材Ｋを使用している。
【００１２】
この場合、上記ケース体２は、図５に示す展開状態において、外底板２ａ、側板２ｂ、上板２ｃ、側板２ｄ、内底板２ｅ並びにこれら外底板２ａ、側板２ｂ、上板２ｃ、側板２ｄ、内底板２ｅの前側部分に四個のフラップＦ1・Ｆ2・Ｆ3・Ｆ4を一体に形成すると共にこれら外底板２ａ、側板２ｂ、上板２ｃ、側板２ｄ、内底板２ｅの後側部分に四個のフラップＧ1・Ｇ2・Ｇ3・Ｇ4を一体に形成してなり、図６、図７、図８の如く、外底板２ａ、側板２ｂ、上板２ｃ、側板２ｄ、内底板２ｅを仮想の折曲破線部Ｅで折り曲げると共にフラップＦ1・Ｆ2・Ｆ3・Ｆ4及びフラップＧ1・Ｇ2・Ｇ3・Ｇ4を折曲破線部Ｅで折り曲げ、図示省略の両面接着テープにより組み立てるように構成している。
【００１３】
又、この場合、上記引出体３は、図９に示す展開状態において、折曲内板３ａ、隔板３ｂ、前板３ｃ、隔板３ｄ、立上板３ｅ、水平板３ｆ、垂下板３ｇ、底板３ｈ、後板３ｉ、隔板３ｊ、折曲内板３ｋ、コ状の打抜溝Ｄにより形成される折曲内板３ｌ及び隔板３ｍ、折曲内板３ａに形成された差込凸部３ｎを差し込み係止可能な差込溝Ｃ並びに垂下板３ｇの左右両側に形成された切起フラップＨ1、底板３ｈの左右両側に形成された側板３ｐ・３ｐ、各側板３ｐ・３ｐの前部に形成されたフラップＨ2・Ｈ3、各側板３ｐ・３ｐの後部に形成されたフラップＨ4・Ｈ5を一体に形成してなり、図１０、図１１、図１２、図１３、図１４の如く、折曲内板３ａ、隔板３ｂ、前板３ｃ、隔板３ｄ、立上板３ｅ、水平板３ｆ、垂下板３ｇ、底板３ｈ、後板３ｉ、隔板３ｊ、折曲内板３ｋを折曲破線部Ｅで折り曲げると共にコ状の打抜溝Ｄにより形成される折曲内板３ｌ及び隔板３ｍを折曲破線部Ｅで折り曲げ、折曲内板３ａに形成された差込凸部３ｎを差込溝Ｃに差し込み、切起フラップＨ1、側板３ｐ・３ｐ、フラップＨ2・Ｈ3、フラップＨ4・Ｈ5で折曲破線部Ｅで折り曲げ、図示省略の両面接着テープにより組み立てるように構成している。
【００１４】
この場合、図１０、図１２の如く、上記指掛部４を形成する凹部Ｒは立上板３ｅ、水平板３ｆ、垂下板３ｇにより形成され、又、図１０、図１２の如く、、上記索引部５を形成する穴部Ｍはコ状の打抜溝Ｄにより形成される折曲内板３ｌ及び隔板３ｍを折り曲げることにより形成されている。
【００１５】
６は脚体であって、この場合、ゴム製の円盤状体が用いられ、上記ケース体２の底面の四隅部に接着テープにより貼着固定されている。
【００１６】
この実施の第一形態例は上記構成であるから、前面が開口する箱状に形成された合成樹脂製のケース体２及びケース体２に引出収納自在に配置された合成樹脂製の引出体３はそれぞれ一枚の合成樹脂製のシート状材Ｓを折り曲げて組み立てられているから、上記ケース体２及び引出体３を、図５、図９の展開状態や適宜中程部の折曲破線部Ｅでの二枚折り状態で運搬、保管、販売することができ、そして、使用時や購入後において、上記ケース体２及び引出体３を、図２の如く、シート状材Ｓを折り曲げて組み立てることができ、このため、運搬上、保管上、販売上等の不使用時において、嵩張ることがなく、取り扱いの融通性を高めることができ、かつ、上記引出体３の前面下部に指掛部４がシート状材Ｓの折り曲げによって形成されているから、指掛部を容易に形成することができると共に引出体を容易に引き出すことができ、更に、上記引出体３の前面上部に索引部５がシート状材Ｓの折り曲げによって形成されているから、索引部５に索引カード等を貼付したり、収納したりすることにより、引出体３内の収納物を外部より容易に認識することができる。
【００１７】
又、この場合、上記指掛部４は上記シート状材の折り曲げによって形成される凹部Ｒにより形成されているから、引出体３の前面の平坦化を図ることができてデザイン性を高めることができると共に指掛部４に確実に指を引きかけることができて引出体３の引き出しを容易に行うことができ、又、この場合、上記索引部５は上記シート状材Ｓの折り曲げにより形成される穴部Ｍによって形成されているから、引出体３の前面の平坦化を図ることができてデザイン性を高めることができ、又、この場合、上記シート状材Ｓは二枚のライナー板Ｓ1・Ｓ1の間に複数個のリブＳ2を一体形成して並列する複数個の中空部Ｓ3が形成された合成樹脂製の中空構造材Ｋであるから、ケース体２及び引出体３の軽量化及び耐衝撃性を高めることができる。
【００１８】
図１６の第二形態例及び図１７の第三形態例は別例構造を示し、上記第一形態例のものとそれぞれ縦、横、奥行き寸法の異なる大型又は小型のケース体２、引出体３を形成してなり、いずれのケース体２及び引出体３もそれぞれ一枚の合成樹脂製のシート状材Ｓを折り曲げて組み立てられ、引出体３の前面下部に指掛部４がシート状材Ｓの折り曲げによって形成され、引出体３の前面上部に索引部５がシート状材Ｓの折り曲げによって形成されている。
【００１９】
これら第二形態例及び第三形態例にあっても、上記第一形態例と同様な作用効果を得ることができる。
【００２０】
尚、本考案は上記実施の形態例に限られるものではなく、ケース体２の形態や大きさ、引出体３の形態や大きさ等は適宜変更して設計されるものである。
【００２１】
以上、所期の目的を充分達成することができる。
【図面の簡単な説明】
【００２２】
【図１】本考案の実施の第一形態例の全体斜視図である。
【図２】本考案の実施の第一形態例の分離斜視図である。
【図３】本考案の実施の第一形態例の正面図である。
【図４】本考案の実施の第一形態例の断面図である。
【図５】本考案の実施の第一形態例のケース体の展開状態図である。
【図６】本考案の実施の第一形態例のケース体の断面図である。
【図７】本考案の実施の第一形態例のケース体の前面図である。
【図８】本考案の実施の第一形態例のケース体の裏面図である。
【図９】本考案の実施の第一形態例の引出体の展開状態図である。
【図１０】本考案の実施の第一形態例の引出体の折曲途中状態図である。
【図１１】本考案の実施の第一形態例の引出体の折曲断面図である。
【図１２】本考案の実施の第一形態例の引出体の折曲断面図である。
【図１３】本考案の実施の第一形態例の引出体の前面図である。
【図１４】本考案の実施の第一形態例の引出体の後面図である。
【図１５】本考案の実施の第一形態例のシート状材の斜視図である。
【図１６】本考案の実施の第二形態例の全体斜視図である。
【図１７】本考案の実施の第二形態例の全体斜視図である。
【符号の説明】
【００２３】
Ｓ    シート状材
Ｒ    凹部
Ｍ    穴部
Ｓ1    ライナー板
Ｓ2    リブ
Ｓ3    中空部
Ｋ    中空構造材
１    整理ケース
２    ケース体
３    引出体
４    指掛部
５    索引部
【図１】
0003129989.tif 000003
【図２】
0003129989.tif 000004
【図３】
0003129989.tif 000005
【図４】
0003129989.tif 000006
【図５】
0003129989.tif 000007
【図６】
0003129989.tif 000008
【図７】
0003129989.tif 000009
【図８】
0003129989.tif 000010
【図９】
0003129989.tif 000011
【図１０】
0003129989.tif 000012
【図１１】
0003129989.tif 000013
【図１２】
0003129989.tif 000014
【図１３】
0003129989.tif 000015
【図１４】
0003129989.tif 000016
【図１５】
0003129989.tif 000017
【図１６】
0003129989.tif 000018
【図１７】
0003129989.tif 000019